(57)【要約】      （修正有）【課題】ラッセル織物を活用した製品に適用でき、直流低電圧により省電力で加温できる、ラッセル織物の構造を活用して一体化したヒーターを提供する。【解決手段】天井面層１、底面層２、天井面層１と底面層２との間の中間層３から構成されるラッセル織物において、底面層２に導電性物質と電圧印加部５を設ける。これにより低電圧で導電性物質を発熱させ、その熱を中間層３に蓄えるヒーターとする。底面層２に反射材６を設けて更に低電圧で作動するヒーターとする。【選択図】図２
2014026835.tif 000002
【特許請求の範囲】
【請求項１】
天井面層、底面層、天井面層と底面層との間の中間層から構成されるラッセル織物において、底面層に導電性物質と電圧印加部を有したことを特徴とするヒーター。
【請求項２】
底面層に反射材を有したことを特徴とする、請求項１記載のヒーター。
【発明の詳細な説明】
【技術分野】
【０００１】
本発明はラッセル織物の構造を活用したヒーターに関するものである。
【背景技術】
【０００２】
ラッセル織物は高級な３次元構造の織物として社会的に認知されている織物であり、この構造を居住性、高級感などにアピールした製品がある。
例えば、車両用座席、カーペット、ソファー、衣類用パッド等があり、車両用座席に使用した例（特許文献１及び２参照）、衣類用パッドに使用した例（特許文献３参照）がある。
またラッセル織物を暖めるには、織物の下に別途ヒーターを設置する方法がある。
【先行技術文献】
【特許文献】
【０００３】
【特許文献１】特開２０１１−３０６００号公報
【特許文献２】特開２００６−１８０９６５号公報
【特許文献３】特開２０１０−１１９５５号公報
【発明の概要】
【発明が解決しようとする課題】
【０００４】
前記のように、ラッセル織物は構造の特徴を生かして車両用座席、カーペット、ソファーに用いられているが、いずれも直接または間接的に肌に触れる製品である。これらの製品を冬季に使用する場合は、快適にするためにある程度の加温が望まれる。
前記のように、ラッセル織物を暖めるには、織物の下に別途ヒータを設置する方法があるが、車両用座席、ソファーのような製品では設置することができない。
本発明は、ラッセル織物を活用した製品に適用でき、低電圧により省電力で加温できる、ラッセル織物を活用して一体化したヒーターを提供するものである。
【課題を解決するための手段】
【０００５】
上記課題を解決するために、本発明は以下の構成を有する。
本発明の請求項１に係る発明は、天井面層、底面層、天井面層と底面層との間の中間層から構成されるラッセル織物において、底面層に導電性物質と電圧印加部を有したことを特徴とするヒーターである。
本発明の請求項２に係る発明は、底面層に反射材を有したことを特徴とする、請求項１記載のヒーターである。
【発明の効果】
【０００６】
本発明の請求項１に係る発明によれば、底面層への遠赤外線を放射する導電性物質の塗布または含浸、電圧印加部による底面層への電圧印加により、導電性物質は発熱しヒーターとして活用できる。その時、中間層に蓄熱される。
かつ、導電性物質は、印加電圧を１００Ｖや２００Ｖのような交流商用電圧から、３〜１２Ｖのような直流低電圧まで幅広く選択できることを可能としている。
かつ、導電性物質は高い遠赤外線放射率を有しており、痛み軽減及び温熱治療効果も有したヒーターとしても活用できる。
かつ、電圧印加部の構造の変更、例えば電極間の距離の調整で行う、または導電性物質の導電性の変更、また電圧の変更で、発熱温度の調整ができる。
尚、導電性物質は電圧印加し自己発熱し高い遠赤外線放射率を有するが、外部から熱伝導を受ける事においても、遠赤外線を放射する。
本発明の請求項２に係る発明によれば、底面層に導電性物質が発する遠赤外線を一定方向に反射させるための反射材を設けることにより、遠赤外線を天井面層の方向に集め、痛み軽減及び温熱治療効果も含めたヒーターとしての機能向上だけなく、印加電圧を更に低下させることが可能になる。
【図面の簡単な説明】
【０００７】
【図１】本発明の構成を表す全体図である。
【図２】本発明の構成を表す断面図である。
【図３】天井面層、中間層及び底面層温度の測定方法及び結果を表す図である。
【図４】導電性物質の遠赤外線放射率の測定結果を表す図である。
【発明を実施するための形態】
【０００８】
以下、本発明を図面により説明する。ただし実施の形態は本発明の技術思想を示した一例であって、特許請求範囲に記載した内容を実施の形態に限定するものではない。
図１は本発明の構成を表す全体図、図２は本発明の構成を表す断面図である。
ラッセル織物は天井面層１、底面層２、中間層３から構成される。中間層３の材質としては例えばナイロンがあり、適度な圧縮効果が得られる。
底面層２に、遠赤外線を放射する導電性物質４を塗布または含浸させ、電圧印加部５により底面層２に電圧を印加することにより導電性物質４は発熱し、ヒーターとして活用できる。
図２において電圧印加部５は２枚１組の電極としている。発生した熱は中間層３で蓄えられ、天井面層１外部の温度に影響される事なく一定に保たれる。
本発明は導電性物質４を用いることにより、印加電圧を１００Ｖや２００Ｖのような交流商用電圧から、３〜１２Ｖのような直流低電圧まで幅広く選択できることを可能としている。
かつ導電性物質４は高い遠赤外線放射率を有しており、痛み軽減及び温熱治療効果も有したヒーターとしても活用できる。
図２に記載のように、底面層２の下部に導電性物質４が発する遠赤外線を一定方向に反射させるための反射材６を設けている。図２において、反射材６は、底面層２、導電性物質４及び電圧印加部材５と距離を有しているが、これは位置関係を理解しやすいように記載したものであり、反射材６は、底面層２、導電性物質４及び電圧印加部材５とは図２ほどの距離を有しないことが基本である。
反射材６を設けることにより遠赤外線を天井面層１の方向に集め、痛み軽減及び温熱治療効果も含めたヒーターとしての機能向上だけなく、印加電圧を更に低下させることが可能になる。
発熱温度の調整は電圧印加部５の構造の変更、例えば図２における電極間の距離の調整で行う、または導電性物質４の導電性の変更で行う、または電圧の変更で行う。
尚、導電性物質は電圧印加し自己発熱し高い遠赤外線放射率を有するが、外部から熱伝導を受ける事においても、遠赤外線を放射する。
【実施例１】
【０００９】
実施例１は各部位の材料及び構成を以下としたものである。
・底面層：平織したポリエステル
・天井面層：綿
・中間層：ナイロン、鉛直方向の長さ：４ｍｍ
・導電性物質：電気抵抗値／面積＝０．２〜０．３Ω
・電圧印加部：２枚１組の電極及び直流電源  ３〜１２Ｖ
本実施例において、約３０℃の発熱を確認した。
図３は、天井面層、中間層及び底面層温度の測定方法及び結果を表す図である。
天井面層１、中間層３及び底面層２の温度をセンサーにより測定した。尚、天井面層１の温度は、天井面層１の上部に設けたカバー７に設けたセンサーにて測定した。カバー７としては例えば化粧布がある。
図３において、カバー７と天井面層１、天井面層１と中間層３、中間層３と底面層２とは距離を有しているが、これは位置関係を理解しやすいように記載したもので、実際の測定においては、ここまでの距離は有しない。
結果をみると、天井面層１の温度は中間層３の温度に比べて２〜３℃低く、中間層３に蓄熱され、天井面層１の温度が一定に保たれていることがわかる。
また、外気温度の変化が中間層の温度に影響を及ぼさないことがわかる。
図４は、導電性物質の遠赤外線放射率の測定結果を表す図である。
実施例１で使用した導電性物質の遠赤外線放射率は９１％と非常に高い数値を示している。
尚、本発明にて実施していないが、ラッセル織物は新幹線床材において、中間層及び底面層をガラス繊維にすることで２００℃までの耐熱性能があることが実証されている。
【産業上の利用可能性】
【００１０】
本発明は、航空機の座席、電車の座席、自動車のシートなどの温度に対してハイレベルな居住性を要求される座席に限らず、内装材用途、ホール等のシート、家庭内の内装材、床暖房治療用温熱治療用途、家庭、業務用保温ベッド等にも利用できる。すなわち利用方法は多岐にわたる。
【符号の説明】
【００１１】
１  天井面層
２  底面層
３  中間層
４  導電性物質
５  電圧印加部
６  反射材
７  カバー
【図１】
2014026835.tif 000003
【図２】
2014026835.tif 000004
【図３】
2014026835.tif 000005
【図４】
2014026835.tif 000006